(57)【要約】【課題】缶詰の集積シュリンク包装内にカード状体を封入する作業をコンベヤの送り速度を低くすることなく、少数の作業員で行なう。【解決手段】集積シュリンク包装装置（１）に缶詰（３）を所定数ずつ整列状態で送入するコンベヤ（２１）の上方にはカード状体（７）を摺動自在に保持するカード状体保持手段（２３）と缶詰を移動自在に保持する缶詰保持手段（２５）とを配設し、該コンベヤには缶詰とカード状体とを押して集積シュリンク包装装置に送入するフィンガー（２９）を備えさせ、カード状体をカード状体保持手段上に載置したときに、該カード状体が該カード状体保持手段上にてフィンガーにより送られる缶詰の下面に入り込み、該カード状体が該缶詰の下面と該カード状体保持手段との間に挟まった状態で該カード状体と該缶詰とがフィンガーにより押されて集積シュリンク包装装置に送入される。【選択図】　図１
2004051148.tif 000002
【特許請求の範囲】
【請求項１】
集積シュリンク包装装置に缶詰を所定数ずつ整列状態で送入するコンベヤの上方にはカード状体を摺動自在に保持するカード状体保持手段と缶詰を移動自在に保持する缶詰保持手段とを配設し、該コンベヤには缶詰とカード状体とを押して集積シュリンク包装装置に送入するフィンガーを備えさせ、
カード状体をカード状体保持手段上に載置したときに、該カード状体が該カード状体保持手段上にてフィンガーにより送られる缶詰の下面に入り込み、該カード状体が該缶詰の下面と該カード状体保持手段との間に挟まった状態で該カード状体と該缶詰とがフィンガーにより押されて集積シュリンク包装装置に送入され、集積シュリンク包装内に該カード状体が封入されるようにしたことを特徴とする、缶詰の集積シュリンク包装内にカード状体を封入する方法。
【請求項２】
前記カード状体保持手段は左右一対の断面略Ｌ字状体を相対向させてコンベヤの送り方向と平行に配設してなるものであることを特徴とする請求項１の缶詰の集積シュリンク包装内にカード状体を封入する方法。
【請求項３】
前記缶詰保持手段は左右一対の缶詰保持杆をコンベヤの送り方向と平行に配設してなるものであることを特徴とする請求項１又は２の缶詰の集積シュリンク包装内にカード状体を封入する方法。
【発明の詳細な説明】
【０００１】
【発明の属する技術分野】
本発明は、缶詰の集積シュリンク包装内にカード状体を封入する方法に関するものである。本明細書におけるカード状体には広告用の葉書が含まれる。
【０００２】
【従来の技術】
缶詰の集積シュリンク包装内にカード状体を封入する際には、図４に示すように、集積シュリンク包装装置１に缶詰３を送入するコンベヤ５上を所定数ずつ整列状態で送られる缶詰３の上面に作業員が手作業でカード状体７を粘着テープ９により貼着するようにしている。このように、カード状体７を粘着テープ９により貼着された所定数の缶詰３は、集積シュリンク包装装置１においてカード状体７を封入した状態で包装フィルム１１により集積シュリンク包装される。
【０００３】
【発明が解決しようとする課題】
しかるに、上記従来の方法においては、作業員が粘着テープによりカード状体を一枚ずつ缶詰に貼着するようにしているため、コンベヤの送り速度を低くする必要があると共に多数の作業員が必要になるという問題がある。
【０００４】
本発明は、上記従来の方法におけるこのような問題を解決しようとしてなされたものである。
【０００５】
【課題を解決するための手段】
上記課題を解決するために、本発明は下記の如き缶詰の集積シュリンク包装内にカード状体を封入する方法を提供するものである。
【０００６】
（１）集積シュリンク包装装置に缶詰を所定数ずつ整列状態で送入するコンベヤの上方にはカード状体を摺動自在に保持するカード状体保持手段と缶詰を移動自在に保持する缶詰保持手段とを配設し、該コンベヤには缶詰とカード状体とを押して集積シュリンク包装装置に送入するフィンガーを備えさせ、
カード状体をカード状体保持手段上に載置したときに、該カード状体が該カード状体保持手段上にてフィンガーにより送られる缶詰の下面に入り込み、該カード状体が該缶詰の下面と該カード状体保持手段との間に挟まった状態で該カード状体と該缶詰とがフィンガーにより押されて集積シュリンク包装装置に送入され、集積シュリンク包装内に該カード状体が封入されるようにしたことを特徴とする、缶詰の集積シュリンク包装内にカード状体を封入する方法（請求項１）。
【０００７】
（２）前記カード状体保持手段は左右一対の断面略Ｌ字状体を相対向させてコンベヤの送り方向と平行に配設してなるものである（請求項２）。
【０００８】
（３）前記缶詰保持手段は左右一対の缶詰保持杆をコンベヤの送り方向と平行に配設してなるものである（請求項３）。
【０００９】
【発明の実施の形態】
次に、本発明の実施の形態を添付図面に従って説明する。以下の説明において、上記従来の方法におけるものと同一の部品、部材、部分等については、上記従来の方法における符号と同一の符号を用いる。
【００１０】
符号２１に示すものは、集積シュリンク包装装置１に缶詰３を所定数ずつ整列状態で送入するコンベヤである。
【００１１】
コンベヤ２１の上方にはカード状体７を摺動自在に保持するカード状体保持手段２３と缶詰３を移動自在に保持する缶詰保持手段２５とを配設する。カード状体７はカード状体保持手段２３に対しコンベヤ２１の送り方向に摺動自在である。
【００１２】
カード状体保持手段２３は、一例として、左右一対の断面略Ｌ字状体２３ａ、２３ｂを相対向させてコンベヤ２１の送り方向と平行に配設してなるものである。図１における符号２７に示すものは左右一対の断面略Ｌ字状体２３ａ、２３ｂの支持体である。
【００１３】
コンベヤ２１の上方には更に缶詰３を移動自在に保持する缶詰保持手段２５を配設する。缶詰３は缶詰保持手段２５に対しコンベヤ２１の送り方向に移動自在である。
【００１４】
缶詰保持手段２５は、一例として、左右一対の缶詰保持杆２５ａ、２５ｂをコンベヤ２１の送り方向と平行に配設してなるものである。缶詰３は缶詰保持杆２５ａ、２５ｂに対しコンベヤ２１の送り方向に摺動自在である。
【００１５】
図１、図２に示す事例においては、缶詰３が缶詰保持手段２５（缶詰保持杆２５ａ、２５ｂ）上に保持されているときに、缶詰３の下面とカード保持手段２３（断面略Ｌ字状体２３ａ、２３ｂ）の上面との間にカード状体７が挟まるのに適した隙間ａが存在する。
【００１６】
コンベヤ２１には缶詰３の後端とカード状体７の後端とを押して集積シュリンク包装装置１に送入するフィンガー２９を備えさせる。
【００１７】
カード状体７をカード状体保持手段２３上に載置したときに、該カード状体７が該カード状体保持手段２３上にてフィンガー２９により送られる缶詰３の下面に入り込み、該カード状体７が該缶詰３の下面と該カード状体保持手段２３との間に挟まった状態で該カード状体７と該缶詰３とがフィンガー２９により押されて集積シュリンク包装装置１に送入され、集積シュリンク包装内に該カード状体７が封入されるようになす。
【００１８】
即ち、作業員はカード状体７をカード状体保持手段２３上における適宜の位置に載置するだけでよい。しかるときは、缶詰保持手段２５上にコンベヤ２１の送り方向に移動自在に保持された所定数の缶詰３が整列状態でフィンガー２９により送られ、カード状体保持手段２３上のカード状体７の直上に位置し、以後、整列状態の缶詰３と該缶詰３下面のカード状体７とがフィンガー２９に押されて集積シュリンク包装装置１内に送入され、該集積シュリンク包装装置１内においてカード状体７を封入した状態で包装フィルム１１により集積シュリンク包装される。図３は所定数の缶詰３がカード状体７を封入した状態で包装フィルム１１により集積シュリンク包装された状態を示す。
【００１９】
【発明の効果】
以上説明したように、本発明による缶詰の集積シュリンク包装内にカード状体を封入する方法においては、作業員は単にカード状体をカード状体保持手段上における適宜の位置に載置するだけでよいため、コンベヤの送り速度を低くする必要はなく、また、作業員も少数で足りる。
【図面の簡単な説明】
【図１】本発明による缶詰の集積シュリンク包装内にカード状体を封入する方法を示す断面図である。
【図２】同上の側面図である。
【図３】所定数の缶詰がカード状体を封入した状態で包装フィルムにより集積シュリンク包装された状態を示す斜視図である。
【図４】従来の缶詰の集積シュリンク包装内にカード状体を封入する方法を示す側面図である。
【符号の説明】
１　　集積シュリンク包装装置
３　　缶詰
５　　コンベヤ
７　　カード状体
９　　粘着テープ
１１　　包装フィルム
２１　　コンベヤ
２３　　カード状体保持手段
２３ａ　　断面略Ｌ字状体
２３ｂ　　断面略Ｌ字状体
２５　　缶詰保持手段
２５ａ　　缶詰保持杆
２５ｂ　　缶詰保持杆
２７　　支持体
２９　　フィンガー
【図１】
2004051148.tif 000003
【図２】
2004051148.tif 000004
【図３】
2004051148.tif 000005
【図４】
2004051148.tif 000006